(57)【要約】      （修正有）【課題】小型化の要請を満たしながら、隣り合う共振部間の段間結合を容易に調整し得る誘電体装置を提供すること。【解決手段】共振部Ｑ１の第１の孔４１は、一端が誘電体基体の一面２１に開口し、面２１からその対向する外面２２の方向に向かう。共振部Ｑ１の第２の孔は、面２１と対向していない外面２４に開口し、誘電体基体１の内部で第１の孔４１に連なる。共振部Ｑ２の第１の孔４２は、一端が誘電体基体１の一面２１に開口し、面２１からその対向する外面２２の方向に向かう。共振部Ｑ２の第２の孔５２は、面２１と対向していない外面２３に開口し、誘電体基体１の内部で第１の孔４２に連なる。共振部Ｑ１、Ｑ２は、共振部Ｑ１の第１の孔４１が共振部Ｑ２の第２の孔５２に隣り合う関係で配置されている。【選択図】図１
2007104065.tif 000002
【特許請求の範囲】
【請求項１】
誘電体基体と、少なくとも２つの共振部とを含む誘電体装置であって、
前記誘電体基体は、一面とその他の外面に外導体膜を備えており、
前記２つの共振部は、それぞれ、第１の孔と、第２の孔とを含み、
前記第１の孔は、前記誘電体基体に設けられ、一端が前記一面に開口し、前記一面からその対向する外面の方向に向かい、内部に第１の内導体を備え、
前記第２の孔は、前記誘電体基体に設けられ、前記一面と対向していない外面に開口し、前記誘電体基体の内部で前記第１の孔に連なり、内部に第２の内導体を備え、前記第２の内導体は一端が前記誘電体基体の内部で前記第１の内導体に連なり、他端が前記外導体膜に連なり、
前記第１の孔は、他端部が、前記第２の孔との連接領域から、奥行き方向に突出しており、
前記２つの共振部は、一方の共振部の第１の孔が他方の共振部の第２の孔に隣り合う関係で配置されている、
誘電体装置。
【請求項２】
請求項１に記載された誘電体装置であって、
前記第１の孔は、前記第２の孔の幅寸法よりも大きい幅寸法を有する、
誘電体装置。
【請求項３】
請求項１または請求項２に記載された誘電体装置であって、
前記第１の孔は、前記第１の内導体が前記一面においてギャップにより前記外導体膜から隔てられている、
誘電体装置。
【請求項４】
請求項１または請求項２に記載された誘電体装置であって、
前記第１の孔は、前記第１の内導体が前記一面において前記外導体膜に連なっている、
誘電体装置。
【請求項５】
請求項１乃至４の何れかに記載された誘電体装置であって、端子を含んでおり、
前記端子は、前記誘電体基体の前記外面に設けられ、前記誘電体基体を介して、前記第１の内導体と電気的に結合されている、
誘電体装置。
【請求項６】
請求項１乃至４の何れかに記載された誘電体装置であって、端子を含んでおり、
前記端子は、前記誘電体基体の前記外面に設けられ、前記第２の孔の前記他端部に備えられた前記第２の内導体と電気的に結合されている、
誘電体装置。
【請求項７】
請求項１乃至６の何れかに記載された誘電体装置であって、誘電体フィルタである誘電体装置。
【請求項８】
請求項１乃至６の何れかに記載された誘電体装置であって、デュプレクサである誘電体装置。
【発明の詳細な説明】
【技術分野】
【０００１】
本発明は、誘電体共振器、これより構成される誘電体フィルタまたはデュプレクサ等の誘電体装置に関する。
【背景技術】
【０００２】
この種の誘電体装置は、準マイクロ波帯、マイクロ波帯、ミリ波帯またはサブミリ波帯等の高周波領域において用いられる。より具体的な適用例としては、衛星通信機器、移動体通信機器、無線通信機器、高周波通信機器またはこれらの通信機器のための基地局等を挙げることができる。
【０００３】
従来のこの種の誘電体装置は、その典型例として誘電体フィルタを例にとると、誘電体基体を共用して、複数の共振部を構成し、複数の共振部を容量結合または誘導結合により段間結合し、所定の周波数成分を抽出するようになっている。
【０００４】
例えば、特許文献１に開示された誘電体フィルタでは、２つの共振部が、それぞれ、第１、第２の孔を含むＴ字型孔構造となっている。具体的には、第１の孔は、誘電体基体の一面からその対向する外面の方向に向かう。第２の孔は、一端が上記一面と対向していない外面に開口し、他端に第１の孔がＴ字状に交差する。これらの共振部は、一方の共振部の第１の孔が他方の共振部の第１の孔に隣り合う関係で配置されており、第１の孔間で結合容量を生じる。
【特許文献１】特許第３３２９４５０号公報
【発明の開示】
【発明が解決しようとする課題】
【０００５】
しかし、特許文献１に開示された誘電体フィルタでは、第１の孔間における結合容量の調整幅を確保することが難しい。すなわち、誘電体フィルタには、小型化の強い要請があり、誘電体基体の外形寸法は限られている。従って、一方の共振部の第１の孔と、他方の共振部の第１の孔とを隣り合わせて配置する構造では、第１の孔間の間隔を広げることができず、結合容量の調整幅を確保できない。このため、共振部間の段間結合を調整するのに限界が生じる。
【０００６】
本発明は、上記問題点に鑑みてなされたものであり、小型化の要請を満たしながら、隣り合う共振部間の段間結合を容易に調整し得る誘電体装置を提供することを目的とする。
【課題を解決するための手段】
【０００７】
上述した課題を解決するため、本発明に係る誘電体装置は、誘電体基体と、少なくとも２つの共振部とを含む。前記誘電体基体は、一面とその他の外面に外導体膜を備えている。
【０００８】
前記２つの共振部は、それぞれ、第１の孔と、第２の孔とを含む。前記第１の孔は、前記誘電体基体に設けられ、一端が前記一面に開口し、前記一面からその対向する外面の方向に向かい、内部に第１の内導体を備える。
【０００９】
前記第２の孔は、前記誘電体基体に設けられ、前記一面と対向していない外面に開口し、前記誘電体基体の内部で前記第１の孔に連なり、内部に第２の内導体を備え、前記第２の内導体は一端が前記誘電体基体の内部で前記第１の内導体に連なり、他端が前記外導体膜に連なる。
【００１０】
前記第１の孔は、他端部が、前記第２の孔との連接領域から、奥行き方向に突出している。
【００１１】
前記２つの共振部は、一方の共振部の第１の孔が他方の共振部の第２の孔に隣り合う関係で配置されている。
【００１２】
上述した本発明に係る誘電体装置において、２つの共振部は、それぞれ、第１の孔と、第２の孔とを含む。第１の孔は、一端が誘電体基体の一面に開口し、上記一面からその対向する外面の方向に向かう。第２の孔は、上記一面と対向していない外面に開口し、誘電体基体の内部で第１の孔に連なる。更に、第１の孔は、他端部が、第２の孔との連接領域から、奥行き方向に突出する。従って、それぞれの共振部が、第１、第２の孔を交差させた孔構造となり、孔を直線状に設ける場合と異なって、第１の孔又は第２の孔の何れか一方を短くし、その分を、他の孔の長さによって補い、所定の物理的長さを確保できる。このため、誘電体基体の長さを短縮し、小型化を達成することができる。
【００１３】
更に、本発明の特徴的構成として、２つの共振部は、一方の共振部の第１の孔が他方の共振部の第２の孔に隣り合う関係で配置されている。このようなインターデジタル構造によれば、誘電体基体の外形寸法が限られていても、一方の共振部の第１の孔と他方の共振部の第２の孔との間隔を広げたり狭めたりすることができ、よって、第１、第２の孔間に生じる容量結合の調整幅を確保できる。従って、小型化の要請を満たしながら、共振部間の段間結合を容易に調整することが可能となる。更に、インターデジタル構造により、端子配置の多様化も可能となる。
【００１４】
典型的には、それぞれの共振部について、第１の孔が、第２の孔の幅寸法よりも大きい幅寸法を有する。この場合、一方の共振部の第１の孔と他方の共振部の第２の孔とを隣り合わせる配置構造を適用することにより、第１、第２の孔間で、調整のための大きな間隔を確保することができる。
【００１５】
共振部の構成として、第１の孔は、第１の内導体が上記一面においてギャップにより外導体膜から隔てられていてもよい。かかる構成によれば、共振部は、λ／４共振器として動作することになる。
【００１６】
また、共振部の別の構成として、第１の孔は、第１の内導体が上記一面において外導体膜に連なっていてもよい。かかる構成によれば、共振部は、λ／２共振器として動作することになる。
【００１７】
また、誘電体装置の具体的構成として、端子が、誘電体基体の外面に設けられ、誘電体基体を介して、第１の内導体と電気的に結合されていてもよい。詳しくは、端子が、誘電体基体を介して、第１の孔の上記他端部に備えられた第１の内導体と電気的に結合されていてもよい。
【００１８】
本発明に係る誘電体装置は、共振器、発振器、誘電体フィルタまたはＤｕｐｌｅｘｅｒ（デュプレクサ、アンテナ共用器とも称される）を広くカバーする装置として用いることができる。例えば、誘電体フィルタとして用いる場合、２つの端子が誘電体基体の外面に設けられ、一方の端子が２つの共振部の一方と電気的に結合され、他方の端子が２つの共振部の他方と電気的に結合される。これらの端子は、入出力端子として用いられ、何れも外導体膜から絶縁される。
【発明の効果】
【００１９】
以上述べたように、本発明によれば、小型化の要請を満たしながら、隣り合う共振部間の段間結合を容易に調整し得る誘電体装置を提供することができる。
【発明を実施するための最良の形態】
【００２０】
図１は本発明に係る誘電体装置の一実施形態を示す斜視図、図２は図１に示した誘電体装置を背面側から見た斜視図、図３は図１及び図２に示した誘電体装置において第１の孔及び第２の孔の構成を示す斜視図である。図示の誘電体装置は、誘電体基体１と、２つの共振部Ｑ１、Ｑ２とを含んでおり、誘電体フィルタとして用いられる。
【００２１】
誘電体基体１は、周知の誘電体セラミックスを用い、厚さ方向Ｚに相対する第１、第２の面２１、２２、長さ方向Ｘに相対する第３、第４の面２３、２４、及び、幅方向Ｙに相対する第５、第６の面２５、２６を有する略六面体状に形成されている。厚さ方向Ｚ、長さ方向Ｘ及び幅方向Ｙは、直交３方向として定義される。誘電体基体１は、第１の面２１を除いて、第２〜第６の面２２〜２６の大部分が外導体膜３によって覆われている。外導体膜３は、一般に、銅または銀等を主成分とし、焼き付け、メッキ等の手段によって形成される。
【００２２】
共振部Ｑ１、Ｑ２は、誘電体基体１を共用し、誘電体基体１を介して一体化されている。
【００２３】
図４は図１の４−４線に沿った断面図である。特に図４を参照し、共振部Ｑ１について説明する。共振部Ｑ１は、第１の孔４１と、第２の孔５１とを含む。第１の孔４１は、誘電体基体１に設けられ、一端が第１の面２１に開口し、第１の面２１からその対向面である第２の面２２の方向に向かう。
【００２４】
第１の孔４１は、内部に第１の内導体６１を備える。第１の内導体６１は、外導体膜３と同様の材料及び手段によって、電極膜として形成される。これとは異なって、第１の内導体６１は第１の孔４１の一部または全体を埋めるように充填されていてもよい。図示実施形態では、第１の内部導体６１は、第１の面２１において、ギャップｇ１１により、外導体膜３から隔てられているが、これと異なり、第１の内部導体６１は、第１の面２１において、外導体膜３に連なっていてもよい。第１の孔４１の内面に備えられた第１の内導体６１と、第３の面２３に設けられた外導体膜３との間には、厚みｄ１１の誘電体層７１１が存在し、静電容量Ｃ１１が形成される。
【００２５】
第２の孔５１も、誘電体基体１に設けられる。第２の孔５１は、一端が第４の面２４に開口し、第４の面２４からその対向面である第３の面２３の方向に向かう。第２の孔５１の他端は、誘電体基体１の内部で第１の孔４１に連なる。
【００２６】
第２の孔５１は、内部に第２の内導体８１を備える。第２の内導体８１は、第４の面２４に開口する一端が外導体膜３に連続し、他端が誘電体基体１の内部で第１の内導体６１に連続する。第２の内導体８１は、第１の内導体６１と同様の材料及び手段によって形成される。第２の内導体８１は、第２の孔５１の一部または全体を埋めるように、充填されていてもよい。
【００２７】
第２の孔５１は、内径Ｄ５の実質的な円形状であり、幅方向Ｙでみた幅寸法が内径Ｄ５に一致する（以下、幅寸法Ｄ５として述べる）。第１の孔４１は、図１で見て、幅方向Ｙの幅寸法Ｄ１１が、長さ方向Ｘの寸法Ｄ１２よりも大きい略長方形状の孔形を有する。第１の孔４１の幅寸法Ｄ１１は、第２の孔５１の幅寸法Ｄ５よりも大きい。従って、第２の孔５１の他端は、第１の孔４１の幅寸法Ｄ１１内で、第１の孔４１に連なることになる。第１の孔４１は、隅部が円弧状であることが好ましい。この図の場合、Ｄ１１＞Ｄ１２で示しているが、Ｄ１１≦Ｄ１２にすることも可能である。
【００２８】
更に、第２の孔５１が開口している第４の面２４と、第１の孔４１との距離ｄ１０が、第２の孔５１に対向している第３の面２３と、第１の孔４１との距離ｄ１１よりも長い（図４参照）。即ち、ｄ１０＞ｄ１１である。
【００２９】
第１の孔４１は、他端部９１が、第２の孔５１との連接領域から、距離Ｚ１１だけ第２の面２２の方向に突出している（図４参照）。
【００３０】
第２の面２２には、外導体膜３から絶縁ギャップｇ１２を隔てて、端子１１が備えられている（図２、図４参照）。端子１１は、厚さｄ１２の誘電体層７１２を介して、第１の孔４１の他端部９１に備えられた第１の内導体６１と静電容量Ｃ１２によって結合する。図示では、端子１１は、第２の面２２及び第５の面２５に跨って形成されているが、これと異なり、第２の面２２及び第３の面２３に跨って形成されていてもよく、または、第２の面２２内のみに形成されていてもよい。
【００３１】
図５は図１の５−５線に沿った断面図である。特に図５を参照し、共振部Ｑ２について説明する。共振部Ｑ２は、共振部Ｑ１と実質的に同一の構造であり、重複説明を省略することがある。
【００３２】
共振部Ｑ２は、第１の孔４２と、第２の孔５２とを含む。第１の孔４２は、一端が第１の面２１に開口し、第１の面２１からその対向面である第２の面２２の方向に向かう。
【００３３】
第１の孔４２は、内部に第１の内導体６２を備える。図示実施形態では、第１の内部導体６２は、第１の面２１において、ギャップｇ２１により、外導体膜３から隔てられているが、これと異なり、第１の内部導体６２は、第１の面２１において、外導体膜３に連なっていてもよい。第１の孔４２の内面に備えられた第１の内導体６２と、第４の面２４に設けられた外導体膜３との間には、厚みｄ２１の誘電体層７２１が存在し、静電容量Ｃ２１が形成される。
【００３４】
第２の孔５２は、一端が第３の面２３に開口し、第３の面２３からその対向面である第４の面２４の方向に向かう。第２の孔５２の他端は、誘電体基体１の内部で第１の孔４２に連なる。
【００３５】
第２の孔５２は、内部に第２の内導体８２を備える。第２の内導体８２は、第３の面２３に開口する一端が外導体膜３に連続し、他端が誘電体基体１の内部で第１の内導体６２に連続する。
【００３６】
第２の孔５２は、内径Ｄ６の実質的な円形状であり、幅方向Ｙでみた幅寸法が内径Ｄ６に一致する（以下、幅寸法Ｄ６として述べる）。第１の孔４２は、図１で見て、幅方向Ｙの幅寸法Ｄ２１が、長さ方向Ｘの寸法Ｄ２２よりも大きい略長方形状の孔形を有する。第１の孔４２の幅寸法Ｄ２１は、第２の孔５２の幅寸法Ｄ６よりも大きい。従って、第２の孔５２の他端は、第１の孔４２の幅寸法Ｄ２１内で、第１の孔４２に連なることになる。この図の場合、Ｄ２１＞Ｄ２２で示しているが、Ｄ２１≦Ｄ２２にすることも可能である。
【００３７】
更に、第２の孔５２が開口している第３の面２３と、第１の孔４２との距離ｄ２０が、第２の孔５２に対向している第４の面２４と、第１の孔４２との距離ｄ２１よりも長い（図５参照）。即ち、ｄ２０＞ｄ２１である。
【００３８】
第１の孔４２は、他端部９２が、第２の孔５２との連接領域から、距離Ｚ１２だけ第２の面２２の方向に突出している（図５参照）。
【００３９】
第２の面２２には、外導体膜３から絶縁ギャップｇ２２を隔てて、端子１２が備えられている（図２、図５参照）。端子１２は、厚さｄ２２の誘電体層７２２を介して、第１の孔４２の他端部９２に備えられた第１の内導体６２と静電容量Ｃ２２によって結合する。図示では、端子１２は、第２の面２２及び第６の面２６に跨って形成されているが、これと異なり、第２の面２２及び第４の面２４に跨って形成されていてもよく、または、第２の面２２内のみに形成されていてもよい。
【００４０】
図６は図１の６−６線に沿った断面図である。特に図３及び図６を参照し、共振部Ｑ１、Ｑ２間の配置関係について説明する。
【００４１】
共振部Ｑ１、Ｑ２は、共振部Ｑ１の第１の孔４１と、共振部Ｑ２の第２の孔５２とが互いに隣り合う関係で配置されている。詳しくは、共振部Ｑ１の第１の孔４１が誘電体基体１の厚さ方向Ｚに延びる一方、共振部Ｑ２の第２の孔５２が長さ方向Ｘに延びており、これらは幅方向Ｙの間隔ｄ２１を隔てて隣り合う。
【００４２】
同様に、共振部Ｑ１の第２の孔５１と、共振部Ｑ２の第１の孔４２とが互いに隣り合う。詳しくは、共振部Ｑ１の第２の孔５１が誘電体基体１の長さ方向Ｘに延びる一方、共振部Ｑ２の第１の孔４２が厚さ方向Ｚに延びており、これらは幅方向Ｙの間隔ｄ２２を隔てて隣り合う。
【００４３】
上述したように、共振部Ｑ１、Ｑ２は、それぞれ、第１の孔と、第２の孔とを含む。図４を参照し、共振部Ｑ１について代表的に説明すると、第１の孔４１は、一端が誘電体基体１の第１の面２１に開口し、第１の面２１からその対向面である第２の面２２の方向に向かう。第２の孔５１は、第１の面２１と対向していない第４の面２４に開口し、誘電体基体１の内部で第１の孔４１に連なる。更に、第１の孔４１は、他端部が、第２の孔５１との連接領域から、奥行き方向に突出する。
【００４４】
従って、共振部Ｑ１（Ｑ２）が、第１の孔４１（４２）及び第２の孔５１（５２）を交差させた孔構造となり、孔を直線状に設ける場合と異なって、第１の孔４１（４２）又は第２の孔５１（５２）の何れか一方を短くし、その分を、他の孔の長さによって補い、所定の物理的長さを確保できる。このため、誘電体基体１の長さ寸法Ｘ０を短縮し、小型化を達成することができる。
【００４５】
小型化の観点からは、誘電体基体１の幅寸法Ｙ０も短縮したい。しかし、限られた幅寸法Ｙ０に、共振部Ｑ１、Ｑ２の第１の孔４１、４２を隣り合わせて配置する構造を適用すると、第１の孔４１、４２間の間隔Δｄを広げることができず、結合容量の調整幅を確保できなくなる（図６参照）。このため、共振部間の段間結合を調整するのに限界が生じる。
【００４６】
本発明では、図３及び図６を参照して説明したように、共振部Ｑ１、Ｑ２は、共振部Ｑ１の第１の孔４１が共振部Ｑ２の第２の孔５２に隣り合う関係で配置されている（図３、図６を参照）。かかる構造によれば、誘電体基体１の幅寸法Ｙ０が限られていても、共振部Ｑ１の第１の孔４１と共振部Ｑ２の第２の孔５２との間隔ｄ２１を広げたり狭めたりすることができ、よって、第１の孔４１及び第２の孔５２の間に生じる容量結合の調整幅を確保できる。従って、小型化の要請を満たしながら、共振部Ｑ１、Ｑ２間の段間結合を容易に調整することが可能となる。
【００４７】
同様に、共振部Ｑ１の第２の孔５１と、共振部Ｑ２の第１の孔４２とが互いに隣り合う。従って、誘電体基体１の幅寸法Ｙ０が限られていても、共振部Ｑ１の第２の孔５１と共振部Ｑ２の第１の孔４２との間隔ｄ２２を広げたり狭めたりすることができ、よって、第２の孔５１及び第１の孔４２の間に生じる容量結合の調整幅を確保できる。
【００４８】
共振部Ｑ１は、第１の孔４１の幅寸法Ｄ１１が、第２の孔５１の幅寸法Ｄ５よりも大きく、共振部Ｑ２も、第１の孔４２の幅寸法Ｄ２１が、第２の孔５２の幅寸法Ｄ６よりも大きい。従って、共振部Ｑ１の第１の孔４１と、共振部Ｑ２の第２の孔５２とを隣り合わせる配置構造を適用することにより、共振部Ｑ１の第１の孔４１と、共振部Ｑ２の第２の孔５２との間で、調整のための大きな間隔ｄ２１を確保することができる。共振部Ｑ１の第２の孔５１及び共振部Ｑ２の第１の孔４２についても同様であり、調整のための大きな間隔ｄ２２を確保することができる。
【００４９】
これに対し、仮に、共振部Ｑ１、Ｑ２の第１の孔４１、４２を隣り合わせて配置する構造を適用すると、第１の孔４１、４２間の間隔Δｄが狭められ、結合容量の調整幅を確保できなくなる（図６参照）。
【００５０】
次に、図１〜図６に示した誘電体装置の周波数特性について、具体例を挙げて説明する。図１〜図６に示した構成において、誘電体基体１は、比誘電率εｒ＝36.8の誘電体材料を用い、略直方体の形状とした。誘電体基体１の形状は、第３の面２３で見た平面積が（3.3ｍｍ×1.65ｍｍ）、長さＸ０は4.15ｍｍとした。第１の孔４１、４２の幅寸法Ｄ１１、Ｄ２１は、ともに1.2ｍｍとし、第２の孔５１、５２の幅寸法Ｄ５、Ｄ６はともに0.5ｍｍとした。これを実施例とする。
【００５１】
比較例の誘電体装置は、共振部Ｑ１、Ｑ２の第１の孔４１、４２を隣り合わせて配置する点を除いては、図１〜図６に示した誘電体装置と同じ構成とした。
【００５２】
図７は、実施例及び比較例の周波数減衰特性を示している。図において、横軸に周波数（ＭＨｚ）をとり、縦軸に減衰量（ｄＢ）をとってある。曲線Ｕ１が実施例の特性を示し、曲線Ｕ２が比較例の特性を示している。
【００５３】
図７を参照すると、比較例の誘電体装置（曲線Ｕ２）が、2,044ＭＨｚ〜2,320ＭＨｚの通過帯域Ｗ２を有するのに対し、実施例の誘電体装置（曲線Ｕ１）は、2,010ＭＨｚ〜2,420ＭＨｚの通過帯域Ｗ１を有する。このように、実施例の誘電体装置は、比較例の誘電体装置との対比において、広帯域化が図られることがわかる。
【００５４】
本発明に係る誘電体装置は、誘電体共振器、誘電体フィルタまたはデュプレクサを広くカバーする装置として用いることができる。この内、誘電体フィルタについては、図１〜図６を参照して詳細に説明した。紙面の都合上、誘電体フィルタについての説明は、以上に留めるが、より多くの共振部を備え得ること、及び、図示され、かつ、説明された各実施形態の組み合わせが多数存在し得ること等は自明である。
【００５５】
次に、本発明に係る誘電体装置の、デュプレクサとしての態様を説明する。
【００５６】
図８は本発明に係る誘電体装置の別の実施形態を示す斜視図、図９は図８に示した誘電体装置を背面側からみた斜視図、図１０は図８及び図９に示した誘電体装置において第１の孔及び第２の孔の構成を示す斜視図である。図示において先の図面に現れた構成部分と同一性ある構成部分には、同一の参照符号を付し、重複説明をできるだけ省略する。
【００５７】
図示されたデュプレクサは７つの共振部Ｑ１〜Ｑ７を有する。共振部Ｑ１〜Ｑ７のそれぞれは、誘電体基体１を共用して一体化されている。誘電体基体１は、第１の面２１を除いて、外面の大部分が外導体膜３によって覆われている。
【００５８】
共振部Ｑ１〜Ｑ６の内、共振部Ｑ１は第１の孔４１と第２の孔５１との組み合わせ、共振部Ｑ２は第１の孔４２と第２の孔５２との組み合わせ、共振部Ｑ３は第１の孔４３と第２の孔５３との組み合わせを、それぞれ含む。共振部Ｑ４は、第１の孔４４と第２の孔５４との組み合わせを含む。共振部Ｑ５は第１の孔４５と第２の孔５５との組み合わせ、共振部Ｑ６は第１の孔４６と第２の孔５６との組み合わせを、それぞれ含む。
【００５９】
共振部Ｑ１〜Ｑ７の何れについても、第１の孔４１〜４７は、第１の面２１に開口する。共振部Ｑ１〜Ｑ７のうち、共振部Ｑ１〜Ｑ４の第２の孔５１〜５４は、第４の面２４に開口し、共振部Ｑ５〜Ｑ７の第２の孔５５〜５７は、第３の面２３に開口する。
【００６０】
なお、共振部Ｑ４については、第２の孔５４が、大径部及び小径部を含む構造となっており、大径部は、長さ方向Ｘでみた一端が第４の面２４に開口する。小径部は、長さ方向Ｘでみた一端が大径部の他端に連なり、他端が第１の孔４４に連なる。
【００６１】
第１の孔４１〜４７は、それぞれ、第１の内導体６１〜６７を有し、第２の孔５１〜５７は、それぞれ、第２の内導体８１〜８７を有する。
【００６２】
次に、共振部Ｑ１〜Ｑ７のうち、隣り合う共振部間の配置関係について順次に説明を行う。
【００６３】
まず、共振部Ｑ１、Ｑ２間の配置関係について、共振部Ｑ１、Ｑ２は、共振部Ｑ１の第１の孔４１と、共振部Ｑ２の第１の孔４２とが互いに隣り合う関係で配置されている。詳しくは、共振部Ｑ１の第１の孔４１及び共振部Ｑ２の第１の孔４２は、ともに誘電体基体の厚さ方向Ｚに延びており、これらは互いに幅方向Ｙの間隔を隔てて隣り合う。
【００６４】
更に、共振部Ｑ１の第２の孔５１と、共振部Ｑ２の第２の孔５２とが互いに隣り合う。詳しくは、共振部Ｑ１の第２の孔５１及び共振部Ｑ２の第２の孔５２は、ともに誘電体基体の長さ方向Ｘに延びており、これらは幅方向Ｙの間隔を隔てて隣り合う。
【００６５】
共振部Ｑ２、Ｑ３間の配置関係及び共振部Ｑ３、Ｑ４間の配置関係については、共振部Ｑ１、Ｑ２間の配置関係と同様であり、重複説明を省略する。
【００６６】
次に、共振部Ｑ４、Ｑ５間の配置関係について、共振部Ｑ４、Ｑ５は、共振部Ｑ４の第１の孔４４と、共振部Ｑ５の第２の孔５５とが互いに隣り合う関係で配置されている。詳しくは、共振部Ｑ４の第１の孔４４が誘電体基体の厚さ方向Ｚに延びる一方、共振部Ｑ５の第２の孔５５が長さ方向Ｘに延びており、これらは幅方向Ｙの間隔を隔てて隣り合う。
【００６７】
更に、共振部Ｑ４の第２の孔５４と、共振部Ｑ５の第１の孔４５とが互いに隣り合う。詳しくは、共振部Ｑ４の第２の孔５４が誘電体基体の長さ方向Ｘに延びる一方、共振部Ｑ５の第１の孔４５が厚さ方向Ｚに延びており、これらは幅方向Ｙの間隔を隔てて隣り合う。
【００６８】
次に、共振部Ｑ５、Ｑ６間の配置関係について、共振部Ｑ５、Ｑ６は、共振部Ｑ５の第１の孔４５と、共振部Ｑ６の第１の孔４６とが互いに隣り合う関係で配置されている。更に、共振部Ｑ５の第１の孔４５と、共振部Ｑ６の第１の孔４６とが互いに隣り合う。共振部Ｑ５、Ｑ６間の配置関係の詳細については、第２の孔８５、８６が第３の面２３に開口している点を除き、共振部Ｑ１、Ｑ２間の配置関係と同様である。
【００６９】
最後に、共振部Ｑ６、Ｑ７間の配置関係については、共振部Ｑ５、Ｑ６間の配置関係と同様であり、重複説明を省略する。
【００７０】
誘電体基体の第２の面２２には、端子１１、１４、１７が設けられている。端子１１は、誘電体基体による誘電体層を介して、共振部Ｑ１の第１の孔４１に結合される。同様に、端子１４は、誘電体基体による誘電体層を介して、共振部Ｑ４の第１の孔４４に結合され、端子１７は、誘電体基体による誘電体層を介して、共振部Ｑ７の第１の孔４７に結合される。
【００７１】
端子１１、１４、１７は、第２の面２２において、絶縁ギャップｇ１２、ｇ４２、ｇ７２によって外導体膜３から電気絶縁された状態で、配置されている。端子１１、１４、１７は、実装基板上に面付けするために用いることができる。
【００７２】
図示は省略するが、デュプレクサについても、誘電体フィルタで例示した各種構造を適用することができることは勿論である。
【図面の簡単な説明】
【００７３】
【図１】本発明に係る誘電体装置の一実施形態を示す斜視図である。
【図２】図１に示した誘電体装置を背面側から見た斜視図である。
【図３】図１及び図２に示した誘電体装置において第１の孔及び第２の孔の構成を示す斜視図である。
【図４】図１の４−４線に沿った断面図である。
【図５】図１の５−５線に沿った断面図である。
【図６】図１の６−６線に沿った断面図である。
【図７】図１〜図６の実施例に係る誘電体装置及び比較例の誘電体装置について周波数減衰特性を示す図である。
【図８】本発明に係る誘電体装置の別の実施形態を示す斜視図である。
【図９】図８に示した誘電体装置を背面側からみた斜視図である。
【図１０】図８及び図９に示した誘電体装置において第１の孔及び第２の孔の構成を示す斜視図である。
【符号の説明】
【００７４】
１                誘電体基体
３                外導体膜
Ｑ１、Ｑ２        共振部
４１、４２        第１の孔
５１、５２        第２の孔
【図８】
2007104065.tif 000003
【図１】
2007104065.tif 000004
【図２】
2007104065.tif 000005
【図３】
2007104065.tif 000006
【図４】
2007104065.tif 000007
【図５】
2007104065.tif 000008
【図６】
2007104065.tif 000009
【図７】
2007104065.tif 000010
【図９】
2007104065.tif 000011
【図１０】
2007104065.tif 000012